(57)【要約】【課題】物品の用途に合わせた収納ができる使い勝手の良い収納空間を備えた建物を提供することを目的とする。【解決手段】１階の床１の一部の上に中間床２が設けられており、この中間床２と１階の床１との間が収納空間３とされた建物Ａにおいて、  １階の部屋に隣接して前記収納空間３が設けられており、  前記収納空間３を形成する壁には、前記１階の部屋と、玄関室６と、建物外部とのそれぞれに通じる出入り口３ａ、３ｂ、３ｃが設けられていることを特徴とする建物Ａ。【選択図】図１
2006265903.tif 000002
【特許請求の範囲】
【請求項１】
１階の床の一部の上に中間床が設けられており、この中間床と１階の床との間が収納空間とされた建物において、
１階の部屋に隣接して前記収納空間が設けられており、
前記収納空間を形成する壁には、前記１階の部屋と、玄関室と、建物外部とのそれぞれに通じる出入り口が設けられていることを特徴とする建物。  
【請求項２】
請求項１に記載の建物において、
前記１階の部屋に通じる出入り口は、１階の台所側に向けて開口していることを特徴とする建物。
【請求項３】
請求項１または２に記載の建物において、
前記収納空間には、前記１階の部屋の床面とほぼ等しい高さ位置に設定された高床部と、この高床部よりも一段低く設定された低床部とが設けられていることを特徴とする建物。
【請求項４】
請求項３に記載の建物において、
前記低床部は、前記玄関室の土間床面とほぼ等しい高さ位置に設定されていることを特徴とする建物。
【請求項５】
請求項１〜４のいずれか一項に記載の建物において、
前記収納空間の天井高は０．９ｍ〜１．４ｍに設定されていることを特徴とする建物。
【発明の詳細な説明】
【技術分野】
【０００１】
本発明は、１階の床と、この１階の床の一部の上に設けられた中間床との間が収納空間とされた建物に関する。
【背景技術】
【０００２】
従来より、住宅等の建物において物品を保管、収容する場所として、建物内部には押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれていた。
【０００３】
このような要望に対して、本出願人は、建物の内部に大型収納空間を設けるとともに、この収納空間と同じ床レベルの部屋を隣接して設け、さらに、当該部屋に収納空間への出入り口を設けた建物を提案した（特許文献１参照）。
【特許文献１】特開２００４−１１３３６号公報
【発明の開示】
【発明が解決しようとする課題】
【０００４】
上記特許文献１のような建物によれば、上階の床と下階の床との間のスキップ床の床レベルに収納空間が設けられているため、上階の荷物と下階の荷物のいずれを収納空間へ出し入れする場合にも便利であった。
【０００５】
ところが、建物内部に設けられた収納空間に対して、例えばアウトドア用品等、建物の外部で使用する物品を収納する際には、玄関から１階の部屋、階段等を通過して前記部屋まで運ばなければならず、使い勝手が良くない場合があった。
【０００６】
本発明の課題は、物品の用途に合わせた収納ができる使い勝手の良い収納空間を備えた建物を提供することを目的とする。
【課題を解決するための手段】
【０００７】
請求項１に記載の発明は、例えば図１または図２に示すように、１階の床１の一部の上に中間床２が設けられており、この中間床２と１階の床１との間が収納空間３とされた建物Ａにおいて、
１階の部屋に隣接して前記収納空間３が設けられており、
前記収納空間３を形成する壁には、前記１階の部屋と、玄関室６と、建物外部とのそれぞれに通じる出入り口３ａ、３ｂ、３ｃが設けられていることを特徴とする。
【０００８】
請求項１に記載の発明によれば、前記収納空間３を形成する壁には、前記１階の部屋と、玄関室６と、建物外部とのそれぞれに通じる出入り口３ａ、３ｂ、３ｃが設けられていることから、前記収納空間３に対して多方向から出入りすることができ、また、建物内部からも建物外部からも物品の搬入および搬出がしやすいので使い勝手が良い。
さらに、建物外部から前記収納空間３を通じて建物内部へと通り抜けたり、逆に、建物内部から前記収納空間３を通じて建物外部へと通り抜けたり、または、前記玄関室６から前記収納空間３を通じて建物内部へと通り抜けたり等、前記収納空間３が生活における一つの動線ともなるので居住性が格段に向上する。
【０００９】
請求項２に記載の発明は、例えば図１に示すように、請求項１に記載の建物Ａにおいて、
前記１階の部屋に通じる出入り口３ａは、１階の台所１ａ側に向けて開口していることを特徴とする。
【００１０】
請求項２に記載の発明によれば、前記１階の部屋に通じる出入り口３ａが、前記１階の台所１ａ側に向けて開口しているので、食料や日用品等、使用頻度の高いものの搬入および搬出がしやすく、使い勝手が良い。
【００１１】
請求項３に記載の発明は、例えば図１に示すように、請求項１または２に記載の建物Ａにおいて、
前記収納空間３には、前記１階の部屋の床面とほぼ等しい高さ位置に設定された高床部４と、この高床部４よりも一段低く設定された低床部５とが設けられていることを特徴とする。
【００１２】
請求項３に記載の発明によれば、前記高床部４が、前記１階の部屋の床面とほぼ等しい高さ位置に設定されているので、前記高床部４と１階の部屋との行き来がしやすく、物品の搬入および搬出がしやすく、使い勝手が良い。
また、前記低床部５は前記高床部４よりも一段低いので、前記高床部４よりも高さにおける収納スペースが広くなり、高さのある物品や長さのある物品であっても収納することができるようになっている。
その上、前記低床部５が前記高床部４よりも一段低い高さ位置に設定されていることから、前記高床部４と低床部５との境目は、建物内部と建物外部との境界としての要素を持ち合わせることとなるので、前記高床部４と前記低床部５とで、それぞれ収納すべき物品の使用場所や用途等に合わせて区別して収納が可能となるので使い勝手が良い。
【００１３】
請求項４に記載の発明は、例えば図１に示すように、請求項３に記載の建物Ａにおいて、
前記低床部５は、前記玄関室６の土間床面６ａとほぼ等しい高さ位置に設定されていることを特徴とする。
【００１４】
請求項４に記載の発明によれば、前記低床部５と玄関室６の行き来がしやすく、ほぼ等しい高さ位置の床面を移動するだけで済むので、物品の搬入および搬出がしやすく、例えば比較的重量な物品等でも収納し易く使い勝手が良い。
【００１５】
請求項５に記載の発明は、例えば図１また図２に示すように、請求項１〜４のいずれか一項に記載の建物Ａにおいて、
前記収納空間３の天井高は０．９ｍ〜１．４ｍに設定されていることを特徴とする。
【００１６】
請求項５に記載の発明によれば、前記収納空間３の天井高を、０．９ｍ〜１．４ｍに設定することによって、人が前記収納空間３に入って、何とか作業ができる最低限の高さを確保でき、また、このように天井高を必要最小限に抑えることで、建物Ａの高さが高くなることによって隣接する建物に及ぼす日照減少等の影響を極力少なくすることができる。
【発明の効果】
【００１７】
本発明によれば、前記収納空間に対して多方向から出入りすることができ、また、建物内部からも建物外部からも物品の搬入および搬出がしやすいので使い勝手が良い。さらに、前記収納空間が生活における一つの動線ともなるので居住性が格段に向上する。
その上、前記低床部が前記高床部よりも一段低い高さ位置に設定されていることから、前記高床部と低床部との境目は、建物内部と建物外部との境界としての要素を持ち合わせることとなるので、前記高床部と前記低床部とで、それぞれ収納すべき物品の使用場所や用途等に合わせて区別して収納が可能となるので使い勝手が良い。
【発明を実施するための最良の形態】
【００１８】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１９】
本実施の形態の建物Ａは、図１に示すように、１階の床１の一部の上に中間床２が設けられており、この中間床２と１階の床１との間が収納空間３とされた建物Ａであり、
１階の部屋に隣接して前記収納空間３が設けられており、
前記収納空間３を形成する壁には、前記１階の部屋と、玄関室６と、建物外部とのそれぞれに通じる出入り口３ａ、３ｂ、３ｃが設けられている。
【００２０】
前記中間床２は、図１または図２に示すように、１階の床１の左側上方に設けられており、この中間床２と１階の床１との間が収納空間３とされている。
また、前記中間床２は、前記１階の床１から半階あがった位置に設けられており、この中間床２の上部には、中間階の部屋２ａが設けられている。さらに、この中間階への昇降手段として、階段２ｂが設けられている。
【００２１】
前記収納空間３は、図１に示すように、前記中間床２の下部において前記１階の部屋に隣接して設けられており、この収納空間３を形成する壁には、前記１階の部屋と、玄関室６と、建物外部とのそれぞれに通じる出入り口３ａ、３ｂ、３ｃが設けられており、前記１階の部屋に通じる出入り口３ａは、１階の台所１ａ側に向けて開口している。
このように、前記１階の部屋に通じる出入り口３ａが、前記１階の台所１ａ側に向けて開口していることによって、食料や日用品等、使用頻度の高いものの搬入および搬出がしやすく、使い勝手が良い。
また、前記収納空間３を形成する壁には、前記１階の部屋と、玄関室６と、建物外部とのそれぞれに通じる出入り口３ａ、３ｂ、３ｃが設けられているので、前記収納空間３に対して多方向から出入りすることができるようになり、物品の搬入および搬出がしやすく使い勝手が良い。
【００２２】
そして、前記収納空間３には、前記１階の部屋の床面とほぼ等しい高さ位置に設定された高床部４と、この高床部４よりも一段低く設定された低床部５とが設けられている。また、前記低床部５は、前記玄関室６の土間床面６ａとほぼ等しい高さ位置に設定されている。
このように、前記高床部４が、前記１階の部屋の床面とほぼ等しい高さ位置に設定されているので、前記高床部４と１階の部屋との行き来がしやすく、物品の搬入および搬出がしやすく、使い勝手が良い。また、前記低床部５は前記高床部４よりも一段低いので、前記高床部４よりも高さにおける収納スペースが広くなり、高さのある物品や長さのある物品であっても収納することができるようになっている。
さらに、前記低床部５が、前記玄関室６の土間床面６ａとほぼ等しい高さ位置に設定されているので、前記低床部５と玄関室６の行き来がしやすく、ほぼ等しい高さ位置の床面を移動するだけで済むので、物品の搬入および搬出がしやすく、例えば比較的重量な物品等でも収納し易く使い勝手が良い。
【００２３】
また、前記収納空間３は、図示はしないが、その床面から前記中間床２までの天井高が０．９ｍ〜１．４ｍに設定されている。
このように、前記収納空間３の天井高を、０．９ｍ〜１．４ｍに設定することによって、人が前記収納空間３に入って、何とか作業ができる最低限の高さを確保でき、また、このように天井高を必要最小限に抑えることで、建物Ａの高さが高くなることによって隣接する建物に及ぼす日照減少等の影響を極力少なくすることができる。
【００２４】
前記１階の部屋は、図１に示すように、本実施の形態では、リビング・ダイニング１ｂおよび前記台所１ａ、風呂場等の水回り室１ｃが設けられている。
また、前記リビング・ダイニング１ｂは、図１または図２に示すように前記中間床２の高さと、この中間床２から２階の床８までの高さとを合わせた高さの吹抜け空間となっている。
【００２５】
前記玄関室６は、図１に示すように、前記収納空間３に隣接し、かつ、前記収納空間３の低床部５の床面とほぼ等しい高さ位置に土間床面６ａが形成されている。また、前記高床部４と同じ高さ位置、すなわち、１階の床１と同じ高さ位置に、前記土間床面６ａよりも一段高い玄関ホール６ｂが設けられている。
なお、図示はしないが、前記収納空間３と前記玄関室６との境界に戸を設けることによって、前記収納空間３に収納した物品を遮蔽することができるので好ましい。例えば、前記収納空間３を靴置き場や傘置き場等に使用した場合に、来客に見られることも無く見映えが良い。
そして、この玄関室６は、図１または図２に示すように、前記中間床２の高さと、この中間床２から２階の床８までの高さとを合わせた高さの吹抜け空間となっている。
【００２６】
一方、本実施の形態では、図１に示すように、建物外部にスロープ７が設けられており、このスロープ７の傾斜上方に位置する平面部７ａの高さ位置と前記収納空間３の低床部５の高さ位置とが連続する高さに設定されている。
このように、前記スロープ７と収納空間３とが連続して通じていることによって、例えば、自転車や自動二輪車等の重量物であっても、スロープ７を通じて難無く前記収納空間３に収納することができるようになっており、さらには、前記１階の部屋に通じる出入り口３ａや、前記玄関室６に通じる出入り口３ｂから１階の部屋へと通り抜けることができるようになっている。
なお、特に、前記建物外部に通じる出入り口３ｃには、図示はしないが、施錠可能な戸を設けて防犯に配慮することが望ましい。
【００２７】
なお、以上のように、前記収納空間３の低床部５は、様々な物品を収納することができるが、他にも、例えばペットの飼育場として使用することもできる等、多目的空間として使用することができ使い勝手が良い。
【００２８】
以上のような構成の建物Ａの１階において、前記収納空間３は生活における動線となる。すなわち、建物外部から前記収納空間３を通じて建物内部へと通り抜ける。建物外部から前記収納空間３を通じて前記玄関室６へと通り抜ける。また、建物内部から前記収納空間３を通じて建物外部へと通り抜ける。建物内部から前記収納空間３を通じて前記玄関室６へと通り抜ける、等、前記収納空間３は、その壁に形成された各出入り口３ａ、３ｂ、３ｃによって、建物外部と建物内部、玄関室６への様々な接続が可能となっている。
このように、前記収納空間３に対して多方向から出入りすることができ、様々なバリエーションの接続が可能となっているので、収納すべき物品の用途に合わせた収納ができるようになり使い勝手が良い。
【００２９】
一方、以上のような構成の建物Ａの１階および収納空間３の上部には、図２または図３に示すように、中間階および２階が設けられている。
すなわち、上述したように、前記中間床２の上部には、前記中間階の部屋２ａが設けられており、さらに前記中間床２から階段２ｃで上がった位置に、前記１階の台所１ａおよび水回り室１ｃの上方に位置する中間階の収納室２ｄが設けられている。
なお、この中間階の収納室２ｄにおいても、前記収納空間３と同じように、その床面から天上までの天井高が０．９ｍ〜１．４ｍに設定されている。
【００３０】
前記２階は、前記中間階の収納室２ｄから階段８ａで上がった位置に前記２階の床８が設けられており、複数の部屋８ｂ、８ｃ、８ｄに分かれて設けられている。
さらに、前記２階の上部に位置する屋根９は、図示はしないが、北側部分が一部桁下がりに形成されており、建物Ａの高さが高くなることによって隣接する建物に及ぼす日照減少等の影響を極力少なくすることができるようになっている。
【００３１】
なお、本実施の形態の建物Ａは、以上のような間取りで構成されているが、これに限られるものではなく、本発明の要旨を逸脱しない範囲で適宜変更可能であることは言うまでもない。
【００３２】
本実施の形態の建物Ａによれば、前記収納空間３に対して多方向から出入りすることができ、また、建物内部からも建物外部からも物品の搬入および搬出がしやすいので使い勝手が良い。さらには、前記収納空間３が生活における一つの動線ともなるので居住性が格段に向上する。
その上、前記低床部５が前記高床部４よりも一段低い高さ位置に設定されていることから、前記高床部４と低床部５との境目は、建物内部と建物外部との境界としての要素を持ち合わせることとなるので、前記高床部４と前記低床部５とで、それぞれ収納すべき物品の使用場所や用途等に合わせて区別して収納が可能となるので使い勝手が良い。
【図面の簡単な説明】
【００３３】
【図１】本発明の建物における１階部分の間取り図である。
【図２】図１に示す建物の中間階部分の間取り図である。
【図３】図１に示す建物の２階部分の間取り図である。
【符号の説明】
【００３４】
Ａ  建物
１  １階の床
２  中間床
３  収納空間
３ａ  出入り口
３ｂ  出入り口
３ｃ  出入り口
４  高床部
５  低床部
【図１】
2006265903.tif 000003
【図２】
2006265903.tif 000004
【図３】
2006265903.tif 000005